(57)【特許請求の範囲】
【請求項１】
ローラの内部に配置されてあって、磁束発生機構を構成するための誘導コイルが外周囲に巻装される誘導発熱ローラ装置用鉄心において、幅方向にわん曲部と、前記わん曲部の内端に連続する屈曲部が形成された長尺状の鉄心鋼板と、幅方向にわん曲部と、前記わん曲部の内端に連続する屈曲部が形成された対向する側壁を有する断面コ字状とする樋状のスペーサとを備え、前記鉄心鋼板の複数を、前記鉄心鋼板の側面同志が重なり合うように順次積層するとともに、積層した前記鉄心鋼板の側面に、前記断面コ字状とする樋状のスペーサの開口面を外周側としてその側面を重ねて円筒鉄心を形成し、前記スペーサの内部の空所に、前記外周囲に巻装される誘導コイルのリード線を引出すようにしてなる誘導発熱ローラ装置用鉄心。
【発明の詳細な説明】
【０００１】
【発明の属する技術分野】
本発明は誘導発熱ローラ装置の内部に配置される磁束発生機構を構成する鉄心に関する。
【０００２】
【従来の技術】
誘導発熱ローラ装置の磁束発生機構を構成する鉄心として、幅方向に沿ってわん曲部と、このわん曲部の内端に連続して形成された屈曲部とによって長尺状の鉄心鋼板を構成し、その複数をその側面が互いに重なり合うように積層して円筒状とした円筒鉄心を使用するようにしたものは、実用新案登録第２５３２９８６号公報によって既によく知られている。
【０００３】
このような構成の鉄心を示したのが図４であり、各鉄心鋼板３１はその幅方向に沿ってわん曲部３２と、このわん曲部３２の内端に連続する屈曲部３３とによって長尺状に形成されてある。そしてこの鉄心鋼板３１の複数枚をその側面が互いに重なり合うようにして積層して円筒状とされ、円筒鉄心３４として構成される。積層された鉄心鋼板３１は、その内端面において溶接されて一体化される。３５はその溶接部を示す。これに代えて図５に示すようにリング状の支持具３６を円筒鉄心３４の内面にあてがい、その支持具３６と鉄心鋼板３１の内端面（鉄心鋼板３１の外端縁）とを溶接して一体化するか、あるいは接着剤を含浸して一体化するようにしてもよい。
【０００４】
このような構成の円筒鉄心３４によれば、この鉄心に巻装された誘導コイルが励磁された際に、これによって生じる漏洩磁束が鉄心鋼板３１にその厚さ方向に貫通することがないので、この貫通による渦電流の発生が回避されることにより、鉄心の磁気特性のみならず誘導コイルの電気特性、絶縁特性の低下が回避できるといった、多くの利点が得られる。
【０００５】
ところで誘導発熱ローラ装置においては、円筒鉄心３４に巻回される誘導コイルは外部にある交流電源に接続しなければならず、そのためには誘導コイルの端部に連なるリード線を外部に引出す必要がある。その場合円筒鉄心３４の表面に貫通孔を開け、この貫通孔にリード線を通して外部に引出すようにすれば、その引出構成が極めて簡単にすむ。
【０００６】
しかし前記したように鉄心鋼板３１を積層してなる円筒鉄心３４の表面に貫通孔を開けるための孔開け加工を施すことは極めて面倒である。また貫通孔が開けられたとしても、そのために積層されていた鉄心鋼板３１の一体化が崩れてしまうことがある。
【０００７】
そのため従来では鉄心の外表面に誘導コイルを巻装するにあたり、鉄心の外表面と誘導コイルの内表面との間に間隙を介在させるようにし、この間隙を利用して誘導コイルのリード線を外部に引出すようにしている。しかしこのような空隙を形成するためには、誘導コイルとしてその内径を大きくしなければならない。そのために誘導コイルは大型化するし、またこれにともなって径の大きいローラを使用しなければならず、装置全体として大型化、大重量化する欠点がある。
【０００８】
【発明が解決しようとする課題】
本発明は、わん曲部、屈曲部が形成されてある鉄心鋼板を積層して構成する円筒鉄心を使用するにあたり、円筒鉄心に貫通孔を設けることなく、誘導コイルのリード線を円筒鉄心の外側に容易に引出し可能とすることを目的とする。
【０００９】
【課題を解決するための手段】
本発明は、ローラの内部に配置されてあって、磁束発生機構を構成するための誘導コイルが外周囲に巻装される誘導発熱ローラ装置用鉄心において、幅方向にわん曲部と、前記わん曲部の内端に連続する屈曲部が形成された長尺状の鉄心鋼板と、幅方向にわん曲部と、前記わん曲部の内端に連続する屈曲部が形成された対向する側壁を有する断面コ字状とする樋状のスペーサとを備え、前記鉄心鋼板の複数を、前記鉄心鋼板の側面同志が重なり合うように順次積層するとともに、積層した前記鉄心鋼板の側面に、前記断面コ字状とする樋状のスペーサの開口面を外周側としてその側面を重ねて円筒鉄心を形成し、前記スペーサの内部の空所に、前記外周囲に巻装される誘導コイルのリード線を引出すようにしたことを特徴とする。
【００１０】
円筒鉄心の外周に巻装される誘導コイルから引出されるリード線は、円筒鉄心の表面にスペーサの内部の空所内に落とされる。そしてこの空所を通って円筒鉄心の外側に引出される。したがって円筒鉄心の表面に貫通孔を加工する必要なく、リード線を円筒鉄心の外側に引出すことができるようになる。
【００１１】
【発明の実施の形態】
本発明の実施の形態を図により説明する。図３は誘導発熱ローラ装置の全体を示すもので、１は内部を中空としたローラで、中空状の駆動軸２を両端にジャーナル３を介して一体的に備えており、駆動軸２はその外側にある軸受４によって、固定の機台５に回転自在に支持されている。そして適当な駆動源（たとえばモータ）によって駆動軸２が回転されることによって、ローラ１が回転される。
【００１２】
ローラ１の内部には、円筒鉄心６およびこれに巻回された誘導コイル７からなる誘導発熱機構８を配置し、その両端を支持ロッド９によって支持する。支持ロッド９は駆動軸２に対して転がり軸受１０によって支持されてあり、これにより誘導発熱機構８をローラ１の内部において宙吊りに支持する。１１は誘導コイル７のリード線で、外部の励磁用の交流電源に接続されている。この例では単一の円筒鉄心６に複数の誘導コイル７を円筒鉄心６の長さ方向に沿って巻装した構成を示している。
【００１３】
これらの構成は通常の誘導発熱ローラ装置と特に相違するものではない。そして、円筒鉄心６として図１に示すように構成されたものを使用する。すなわち図１における鉄心鋼板１２は図４に示す鉄心鋼板３１と同じ形状とされたもので、その幅方向に沿ってわん曲部１３と、このわん曲部１３の内端に連続する屈曲部１４とによって長尺状に形成されてある。そしてこの鉄心鋼板１２の複数枚をその側面が互いに重なり合うようにして積層して円筒状とされ、円筒鉄心６として構成される。積層された鉄心鋼板１２は、その内端面において図４、図５に示すように溶接するなり、或は支持具３６を溶接するなどして一体化される。
【００１４】
本発明にしたがい鉄心鋼板１２による積層部分中に、樋状のスペーサ１５を介在させて円筒鉄心６を構成する。このスペーサ１５の内部の空所１６は円筒鉄心６の周表面にその軸方向に沿って形成されることになる。後記するように空所１６はリード線の挿通のために使用される。なおスペーサ１５は誘導コイル７による磁界中におかれるので、渦電流が発生することのないように非磁性体たとえばステンレスなどにより構成することが望ましい。
【００１５】
円筒鉄心６の外表面に誘導コイル７が巻装される。そして巻装された誘導コイル７から引出されたリード線１１は、スペーサ１５の内部の空所１６に落とすようにすれば、この空所１６を通って円筒鉄心６の端部から外部に引出すことができる。このようにすれば、円筒鉄心６に貫通孔を加工することなく、リード線を円筒鉄心６の内部に引出すことができるようになる。
【００１６】
なおスペーサ１５として図１に示すように、対となる側壁１７、１８と、底壁１９とによって、断面をコ字状とする樋状に構成し、各側壁１７、１８に、鉄心鋼板１２と同形状に、すなわちわん曲部２０、２１と、屈曲部２２、２３とを形成しておく。
【００１７】
これによれば、前述のようにスペーサ１５を鉄心鋼板１２の積層部分に介在させたとき、その介在作業は、スペーサ１５を鉄心鋼板１２と同じように扱うことができるため極めて容易となるし、また各側壁１７、１８とこれらと隣合う鉄心鋼板とは互いに密着した状態となるので都合がよい。
【００１８】
この場合一方の側壁１７とこれに隣合う鉄心鋼板の積層部分とが作る角度は鈍角となり、他方の側壁１８とこれに隣合う鉄心鋼板の積層部分とが作る角度は鋭角となる。したがってリード線１１を側壁１７側から空所１６に落とすようにすると、リード線は小さな屈曲で空所１６に入るようになって都合がよい。
【００２０】
図１に実施形態は円筒鉄心６には一つのスペーサ１５を使用した構成を示しているが、一つのスペーサ１５ではリード線１１の引出しが不足となる場合は、図２に示すように２個のスペーサ１５を設ければよい。もちろん必要があれば３個以上設けることも可能である。
【００２１】
【発明の効果】
以上説明したように本発明によれば、わん曲部、屈曲部が形成されてある鉄心鋼板を積層してなる円筒鉄心に誘導コイルを巻装するにあたり、この円筒鉄心に貫通した孔を加工することを必要としないで誘導コイルのリード線を円筒鉄心の外部に引出すことができるようになり、したがって円筒鉄心と誘導コイルとの間にリード線引出し用の間隙を形成する必要はなくなるので、誘導コイル、ひいてはローラの大型化が回避できるといった効果を奏する。
【図面の簡単な説明】
【図１】本発明の実施形態を示す部分斜視図である。
【図２】本発明の他の実施形態を示す部分斜視図である。
【図３】誘導発熱ローラ装置の全体を示す断面図である。
【図４】従来構成を示す部分斜視図である。
【図５】他の従来構成を示す部分斜視図である。
【符号の説明】
６  円筒鉄心
７  誘導コイル
１１  リード線
１２  鉄心鋼板
１３  わん曲部
１４  屈曲部
１５  スペーサ
１６  空所
１７  側壁
１８  側壁
１９  底壁
【図１】
0004080103.tif 000002
【図２】
0004080103.tif 000003
【図３】
0004080103.tif 000004
【図４】
0004080103.tif 000005
【図５】
0004080103.tif 000006